(57)【特許請求の範囲】
【請求項１】
光源の光を反射する反射板と、該光源と該反射板を取り付けたホルダーと、該ホルダーを内部に固定して支持するハウジングと、吊り下げ状態で照明として使用可能とするハンドルと、を備えるランタンにおいて、
該ハンドルは、該ハウジングの外周に装着されたリング部材に取り付けられており、
吊り下げ状態において、該ハウジングが該リング部材に対して上下方向の軸線周りに回動可能としたことを特徴とするランタン。
【請求項２】
該リング部材の内周に略等間隔にくぼみを設け、該ハウジングの外周の一部に該くぼみに係合する板バネを設け、該リング部材に対する該ハウジングの回動にともなう該くぼみと該板バネとの係合時にクリック感が発生すること特徴とする請求項１に記載のランタン。
【発明の詳細な説明】
【技術分野】
【０００１】
本発明はランタンに関し、特に光の向きを容易に変更できるランタンに関するものである。
【背景技術】
【０００２】
図７は特許文献１に開示のランタン１００であるが、光源部１２０の周りに上側ガイド１０５、下側ガイド１０６が設置されており、反射器１１０にフック１１５を取り付け、フック１１５とガイド１０５、１０６を係合することにより反射器１１０を光源部１２０の周りに取り付けることができるように構成されている。
【先行技術文献】
【特許文献】
【０００３】
【特許文献１】特開平３−１９０００１号公報
【発明の概要】
【発明が解決しようとする課題】
【０００４】
しかし、上記の構成では、ランタン１００を吊るした状態で光の向きを変える時、反射器１１０を直接指でつかんでフック１１５とガイド１０５、１０６の係合位置を調整しなければならず、反射器１１０が熱くなっていることがあった。また、フック１１５とガイド１０５、１０６は光源部１２０の周りでどこでも係合可能であるが、フック１１５とガイド１０５、１０６の係合力に抗して反射器１１０を回動させるため、クリック感のある良好な操作性が得られなかった。
【０００５】
本発明は、上記問題を解決するものであり、簡単な操作で容易に光の向きを変えることができ、操作にあたってはクリック感のある良好な操作性が得られるランタンを提供するものである。
【課題を解決するための手段】
【０００６】
上記目的を達成するために、本発明のランタンは、光源の光を反射する反射板と、該光源と該反射板を取り付けたホルダーと、該ホルダーを内部に固定して支持するハウジングと、吊り下げ状態で照明として使用可能とするハンドルと、を備えるランタンにおいて、該ハンドルは、該ハウジングの外周に装着されたリング部材に取り付けられており、吊り下げ状態において、該ハウジングが該リング部材に対して上下方向の軸線周りに回動可能な構成とした。また、該リング部材の内周に略等間隔にくぼみを設け、該ハウジングの外周の一部に該くぼみに係合する板バネを設け、該リング部材に対する該ハウジングの回動にともなう該くぼみと該板バネとの係合時にクリック感が発生する構成とした。
【発明の効果】
【０００７】
本発明によれば、簡単な操作で容易に光の向きを変えることができる。また、光の向きを調整するときハウジングの回転にともなってクリック感のある良好な操作性が得られる。
【図面の簡単な説明】
【０００８】
【図１】本発明にかかるランタンの正面図である。
【図２】本発明にかかるランタンの側面図である。
【図３】図１におけるＹ矢視断面図である。
【図４】図２におけるＺ矢視断面図である。
【図５】図４の一部分図である。
【図６】図４におけるＸ矢視断面図である。
【図７】従来のランタンの外形図である。
【発明を実施するための形態】
【０００９】
以下、本発明を実施するための好適な実施形態について、図面に基づいて説明する。
【実施例１】
【００１０】
図１、図２において、２はランタン１を吊るしたり運んだりするためのハンドル、３はランタン１の光源部、４は光源部３の調光を制御する制御部、５はバッテリーである。ハンドル２はハンドル軸部２１によって制御部４の周りに装着されているリング部材７に回動自在に軸支されている。
【００１１】
図３乃至図６において、３１はランタン１の光源である蛍光灯、３２は蛍光灯３１の光を反射する反射板、３３は蛍光灯３１と反射板３２を内部に収納して保護する透明なプラスチック製のコップ形状をしたカバーである。光源部３は、蛍光灯３１、反射板３２、カバー３３により主に構成されている。蛍光灯３１の下端部は略円柱状のホルダー４１の中央に形成された図示しない孔を貫通し、メイン基板４３上に装着された蛍光灯ソケット４２に差し込まれて固定され、蛍光灯３１の上端部は緩衝ゴム３４でカバー３３に固定されている。メイン基板４３は蛍光灯３１の調光を制御する電子回路基板であり、ホルダー４１の下面に図示しないボルト等で固定されている。４４はハウジングで、ハウジング４４は２つ割りのハウジング部品４４ａ、４４ｂをボルト等で締め付けて組み立てられている。ハウジング４４の内側にはホルダー４１がハウジング４４に固定されて収まっている。制御部４は、ホルダー４１、蛍光灯ソケット４２、メイン基板４３、ハウジング４４により主に構成されている。カバー３３の開口に近い外周は凸状に形成され、この凸状の開口側の壁３３ａから開口までは外周にネジが切ってあり、ハウジング４４の内面に形成されたネジにネジ締めされることにより、カバー３３はハウジング４４に取り付けられる。ハウジング４４の中央辺りの外周も凸状に形成されカバー３３側に壁４４ｃが設けられ、壁３３ａと壁４４ｃによってリング部材７が適度に挟まれて、リング部材７はランタン１の上下方向（Ｈ方向）に移動することなくハウジング４４の周りを回動可能に装着されている。ハウジング部品４４ａの一部は板バネ６を装着し板バネ６が伸縮できるようにくぼんだ形に形成されている。板バネ６は略弓状で中央に突起部６ａが形成され、突起部６ａはリング部材７の内周に略等間隔に形成されたくぼみ７ａに係合する方向に付勢されている。リング部材７の両サイドはハンドル軸部２１を軸支する構造となっている。８は光源部３の調光を操作するスイッチである。
【００１２】
以上の如く構成されたランタン１を適当な所に吊り、スイッチ８を操作して蛍光灯３１を発光させると、ランタン１からの光は反射板３２に反射された方向を強く照射する。使用者がランタン１からの光の照射方向を少し変えようとする時、ハウジング４４のネック部４４ｄあるいはバッテリー５を手でつかんで所望の方向へ回動すればよい。この時板バネ６の突起部６ａは、リング部材７の内周に形成されたくぼみ７ａとの係合を解かれ、リング部材７の内周壁７ｂに当接しながら隣のくぼみ７ａに移動する。板バネ６の突起部６ａが隣のくぼみ７ａに係合する時、使用者は心地よいクリック感を感じて照射光の向きが変わったことを実感できる。
【００１３】
本発明に係るランタン１は、上述した実施の形態に限定されず、特許請求の範囲で記載した範囲で種々の変形や改良が可能である。
【産業上の利用可能性】
【００１４】
この発明は、ランタンについて有用である。
【符号の説明】
【００１５】
１                ランタン
２                ハンドル
３                光源部
４                制御部
５                バッテリー
６                板バネ
７                リング部材
３１              蛍光灯
３２              反射板
３３              カバー
４１              ホルダー
４２              蛍光灯ソケット
４３              メイン基板
４４              ハウジング
【図１】
0005461108.tif 000002
【図２】
0005461108.tif 000003
【図３】
0005461108.tif 000004
【図４】
0005461108.tif 000005
【図５】
0005461108.tif 000006
【図６】
0005461108.tif 000007
【図７】
0005461108.tif 000008